(57)【要約】【課題】より効果的に迷光を低減することができる分光器を提供する。【解決手段】分光器は、入射板４３、回折格子６、マスク板４４及び光量調整機構２００を備える。入射板４３には、光源からの光が通過する入射スリット４１が形成されている。回折格子６は、入射スリット４１を通過した光を有効領域６１で回折させて分光する。マスク板４４は、入射板４３及び回折格子６の間に設けられ、入射スリット４１から回折格子６側に向かう光の少なくとも一部を通過させる開口部４５が形成されるとともに、開口部４５以外の部分では光を反射させて遮光する。光量調整機構２００は、開口部４５を通過して回折格子６側に向かう光の通過量を変化させる。【選択図】  図３
2018009885.tif 000002
【特許請求の範囲】
【請求項１】
光源からの光が通過する入射スリットが形成された入射部と、
前記入射スリットを通過した光を有効領域で回折させて分光する回折格子と、
前記入射部及び前記回折格子の間に設けられ、前記入射スリットから前記回折格子側に向かう光の少なくとも一部を通過させる開口部が形成されるとともに、前記開口部以外の部分では光を反射させて遮光するマスク部と、
前記開口部を通過して前記回折格子側に向かう光の通過量を変化させる光量調整機構とを備えることを特徴とする分光器。
【請求項２】
前記光量調整機構は、前記マスク部を回転又は移動させることにより、前記開口部を通過して前記回折格子側に向かう光の通過量を変化させることを特徴とする請求項１に記載の分光器。
【請求項３】
前記回折格子を回転させる回転機構をさらに備え、
前記光量調整機構は、前記回折格子の回転に伴って、前記開口部を通過して前記回折格子側に向かう光の通過量を変化させることを特徴とする請求項１又は２に記載の分光器。
【請求項４】
前記マスク部における前記開口部以外の部分で反射した光を減衰させるトラップ空間が形成されたトラップ部をさらに備えることを特徴とする請求項１〜３のいずれか一項に記載の分光器。
【請求項５】
前記トラップ空間の内面には、光を減衰させながら反射させる低反射率部材が設けられていることを特徴とする請求項４に記載の分光器。
【請求項６】
前記マスク部における前記開口部以外の部分には、光を減衰させながら反射させる低反射率部材が設けられていることを特徴とする請求項１〜５のいずれか一項に記載の分光器。
【発明の詳細な説明】
【技術分野】
【０００１】
本発明は、入射スリットを通過した光を回折格子で回折させて分光する分光器に関するものである。
【背景技術】
【０００２】
分光器の一例として、入射スリットから入射する光を回折格子で分光し、特定の波長の光のみを出射スリットから出射させるモノクロメータが知られている（例えば、下記特許文献１参照）。この種の分光器では、例えばハウジング内に回折格子が設けられており、ハウジングの壁面に、入射スリットが形成された入射部（入射ポート）や、出射スリットが形成された出射部（出射ポート）が設けられている。
【０００３】
光源からの光は光学系を介して集光され、微小な開口からなる入射スリットを通ってハウジング内に入射する。ハウジング内に入射した光は、拡がりながら回折格子に到達し、当該回折格子の有効領域（格子面）で回折することにより、各波長の光に分光される。回折格子は回転可能に設けられており、その回転位置に応じた特定の波長の光が集光され、出射スリットを通ってハウジングの外部に出射される。
【０００４】
汎用性の高いモノクロメータでは、光源からの光を導く光学系の構成がユーザにより任意に選択される。上記光学系としては、例えば集光レンズを用いて光源からの光を集光させる構成や、１本又は複数本の光ファイバを用いて光源からの光を導く構成など、様々なバリエーションがある。
【先行技術文献】
【特許文献】
【０００５】
【特許文献１】特開２００８−１８５５２５号公報
【発明の概要】
【発明が解決しようとする課題】
【０００６】
光源からの光を導く光学系が、上記のような様々なバリエーションを有している場合には、入射光束の明るさが光学系の構成に応じて変化することとなる。すなわち、入射光束の角度範囲が大きいときには、明るさの指標であるＦ値が小さくなり、入射光束の明るさが増加する。一方、入射光束の角度範囲が小さいときには、Ｆ値が大きくなり、入射光束の明るさが減少する。
【０００７】
図８Ａ及び図８Ｂは、入射光束の角度範囲θ２について説明するための概略断面図である。光源からの光は、入射スリット１０１を通ってハウジング１０２内に入射し、ハウジング１０２内に設けられた回折格子１０３の有効領域１３１で回折する。
【０００８】
図８Ａのように、Ｆ値が小さく、入射光束の角度範囲θ２が大きいときには、回折格子１０３の有効領域１３１全体に光が入射する場合がある。一方、図８Ｂのように、Ｆ値が大きく、入射光束の角度範囲θ２が小さいときには、回折格子１０３の有効領域１３１の一部にのみ光が入射する場合がある。
【０００９】
Ｆ値が小さければ感度が向上する一方で、Ｆ値が大きければ分解能が向上する。そのため、ユーザは、所望する感度又は分解能に応じて、光源からの光を入射スリット１０１に導く光学系（集光レンズなど）を調整することにより、入射光束の角度範囲θ２を任意に設定することができる。
【００１０】
しかしながら、上記のような光学系の調整は容易ではなく、図８Ａのように、回折格子１０３の有効領域１３１を超えて光が入射する場合がある。なお、図８Ａでは、回折格子１０３の有効領域１３１内に入射しない光をハッチングで示している。この場合、有効領域１３１内に入射しない光が迷光源となり、測定結果に悪影響を及ぼすおそれがある。
【００１１】
また、光学系の構成を変更する度に入射光束の角度範囲θ２を設定する作業を行うことは煩雑であるため、ユーザによっては、そのような作業を行うことなくモノクロメータを使用する場合がある。このような場合にも、図８Ａのように、回折格子１０３の有効領域１３１を超えて光が入射する場合がある。
【００１２】
このように、汎用性の高いモノクロメータでは、迷光が生じやすいという問題がある。このような問題を解消するために、例えばハウジングの内面を黒色に塗装したり、反射率の低い部材をハウジングの内面に貼り付けたりすることにより、迷光を低減するような対策が行われている。また、回折格子のエッジ部分に黒色のマスク部を設けることにより、当該エッジ部分での光の散乱を防止し、迷光を低減するような方法も知られている。
【００１３】
しかしながら、上記のような従来の迷光を低減させる方法は、回折格子１０３の有効領域１３１を超えた光がハウジング内に入射すること自体を防止するものではない。すなわち、迷光源を完全に遮断するものではなく、ハウジング内における迷光の発生を完全に防止することはできないため、より効果的に迷光を低減することができるような構成が望まれていた。
【００１４】
本発明は、上記実情に鑑みてなされたものであり、より効果的に迷光を低減することができる分光器を提供することを目的とする。
【課題を解決するための手段】
【００１５】
本発明に係る分光器は、入射部と、回折格子と、マスク部と、光量調整機構とを備える。前記入射部には、光源からの光が通過する入射スリットが形成されている。前記回折格子は、前記入射スリットを通過した光を有効領域で回折させて分光する。前記マスク部は、前記入射部及び前記回折格子の間に設けられ、前記入射スリットから前記回折格子側に向かう光の少なくとも一部を通過させる開口部が形成されるとともに、前記開口部以外の部分では光を反射させて遮光する。前記光量調整機構は、前記開口部を通過して前記回折格子側に向かう光の通過量を変化させる。
【００１６】
このような構成によれば、入射スリットから回折格子に向かう光の一部を、マスク部における開口部以外の部分で反射させて遮光することができる。このとき、開口部を通過して回折格子側に向かう光の通過量を光量調整機構で変化させることにより、回折格子の有効領域内に入射しない光が回折格子側に向かうのを阻止することができる。この場合、回折格子の有効領域内に入射する光のみがマスク部の開口部を通過し、迷光源となる回折格子の有効領域内に入射しない光が遮光されるため、より効果的に迷光を低減することができる。
【００１７】
前記光量調整機構は、前記マスク部を回転又は移動させることにより、前記開口部を通過して前記回折格子側に向かう光の通過量を変化させてもよい。
【００１８】
このような構成によれば、マスク部を回転又は移動させるだけの簡単な構成で、開口部を通過して回折格子側に向かう光の通過量を変化させ、回折格子の有効領域内に入射しない光が回折格子側に向かうのを阻止することができる。
【００１９】
前記分光器は、前記回折格子を回転させる回転機構をさらに備えていてもよい。この場合、前記光量調整機構は、前記回折格子の回転に伴って、前記開口部を通過して前記回折格子側に向かう光の通過量を変化させてもよい。
【００２０】
このような構成によれば、回折格子の回転に伴って、開口部を通過して回折格子側に向かう光の通過量が自動的に変化するため、回折格子の回転角度に対して常に適切な通過量で回折格子側に向かう光が開口部を通過する。すなわち、回折格子の回転角度が変化すると、回折格子の有効領域に対する入射光束の角度範囲も変化するため、回折格子の回転に伴って開口部に対する光の通過量を変化させることにより、常に回折格子の有効領域内にのみ光を入射させることが可能になる。
【００２１】
前記分光器は、前記マスク部における前記開口部以外の部分で反射した光を減衰させるトラップ空間が形成されたトラップ部をさらに備えていてもよい。
【００２２】
このような構成によれば、回折格子の有効領域内に入射しない光をマスク部で反射させ、その反射した光をトラップ空間で減衰させることができる。これにより、マスク部において遮光された光は回折格子側には届かず、迷光源となることがないため、より効果的に迷光を低減することができる。
【００２３】
前記トラップ空間の内面には、光を減衰させながら反射させる低反射率部材が設けられていてもよい。
【００２４】
このような構成によれば、回折格子の有効領域内に入射しない光をマスク部で反射させ、その反射した光をトラップ空間の内面に設けられた低反射率部材により効果的に減衰させることができる。したがって、さらに効果的に迷光を低減することができる。
【００２５】
前記マスク部における前記開口部以外の部分には、光を減衰させながら反射させる低反射率部材が設けられていてもよい。
【００２６】
このような構成によれば、回折格子の有効領域内に入射しない光がマスク部で反射する際、マスク部に設けられた低反射率部材により減衰しながら反射される。したがって、さらに効果的に迷光を低減することができる。
【発明の効果】
【００２７】
本発明によれば、開口部を通過して回折格子側に向かう光の通過量を光量調整機構で変化させることにより、回折格子の有効領域内に入射しない光が回折格子側に向かうのを阻止することができるため、より効果的に迷光を低減することができる。
【図面の簡単な説明】
【００２８】
【図１】本発明の一実施形態に係る分光器の構成例を示した概略断面図である。
【図２】入射光制限部材の構成例を示した概略断面図である。
【図３】図２の状態から回折格子を回転させたときの入射光制限部材の構成例を示した概略断面図である。
【図４】入射光制限部材の変形例を示した概略断面図である。
【図５】別実施形態に係る分光器の構成例を示した概略断面図である。
【図６】さらに別の実施形態に係る分光器の構成例を示した概略断面図である。
【図７】図６の分光器における入射光制限部材の変形例を示した概略断面図である。
【図８Ａ】入射光束の角度範囲について説明するための概略断面図である。
【図８Ｂ】入射光束の角度範囲について説明するための概略断面図である。
【発明を実施するための形態】
【００２９】
図１は、本発明の一実施形態に係る分光器１の構成例を示した概略断面図である。この分光器１は、光源２からの光を分光するためのモノクロメータであり、光源２からの光は集光レンズ３により集光されて分光器１内に入射する。集光レンズ３は、光源２から分光器１に光を導くための光学系を構成しており、当該光学系の構成をユーザが任意に選択することができるようになっている。すなわち、本実施形態に係る分光器１は汎用性が高く、集光レンズ３の種類を変更したり、集光レンズ３以外の光学系を採用したりすることができる。
【００３０】
分光器１は、例えば入射光制限部材４、第１反射鏡５、回折格子６、第２反射鏡７及び出射光制限部材８などを備えている。分光器１の外形はハウジング９により区画されており、当該ハウジング９内に第１反射鏡５、回折格子６及び第２反射鏡７が設けられるとともに、当該ハウジング９の壁面に入射光制限部材４及び出射光制限部材８が取り付けられている。入射光制限部材４及び出射光制限部材８は、ハウジング９の壁面に対して着脱可能であることが好ましい。
【００３１】
入射光制限部材４には、例えば小孔からなる入射スリット４１が設けられており、当該入射スリット４１を通過した光のみがハウジング９側に向かう。これにより、分光器１に入射する光源２からの光を制限し、分光器１に入射した光のみを第１反射鏡５で反射させ、回折格子６へと導くことができる。
【００３２】
入射スリット４１を通過した光は、拡がりながら回折格子６に到達する。ただし、第１反射鏡５が、例えばコリメート鏡で構成されることにより、入射スリット４１を通過した光が第１反射鏡５で平行光とされてから回折格子６に導かれるような構成であってもよい。また、第１反射鏡５が省略され、入射スリット４１を通過した光が回折格子６に直接導かれるような構成であってもよい。
【００３３】
回折格子６には、凹面からなる格子面が形成されており、当該格子面は、入射スリット４１を通過した光が入射する有効領域６１を構成している。入射スリット４１を通過した光は、有効領域６１内で回折することにより、各波長の光に分光される。そして、分光された特定の波長の光が、第２反射鏡７で反射し、出射光制限部材８を介してハウジング９の外部に出射する。第２反射鏡７は、例えばフォーカス鏡で構成されており、回折格子６からの光を集光させて出射光制限部材８に導く。
【００３４】
回折格子６は、回転軸６２を中心に回転可能に保持されている。例えば図１に破線で示すように、回転軸６２を中心に回折格子６を回転させることにより、その回転位置に応じた特定の波長の光を集光させ、出射光制限部材８を介してハウジング９の外部に出射させることができる。
【００３５】
出射光制限部材８には、例えば小孔からなる出射スリット８１が設けられており、当該出射スリット８１を通過した光のみがハウジング９の外部に出射する。これにより、分光器１内で生じた迷光の出射を制限し、回折格子６により分光された特定の波長の光のみを出射スリット８１から出射させることができる。
【００３６】
図２は、入射光制限部材４の構成例を示した概略断面図である。図２では、説明を簡略化するために第１反射鏡５が省略されている。入射光制限部材４は、例えば本体４２、入射板４３及びマスク板４４などを備えている。当該入射光制限部材４は、例えばハウジング９の壁面に対して外側から取り付けられている。
【００３７】
本体４２は、例えば筒状の部材により構成されており、一端部に入口側開口４２１が形成されるとともに、他端部に出口側開口４２２が形成されている。光源２から集光レンズ３を介して入射光制限部材４に入射する光は、本体４２の軸線Ｌに沿って入口側開口４２１から入射し、本体４２内を通って出口側開口４２２から出射する。
【００３８】
出口側開口４２２は入口側開口４２１よりも大径であり、段差面４２３を介して互いに連通している。段差面４２３は、例えば光の入射方向（軸線Ｌ方向）に対して直交する面により構成されている。ただし、このような構成に限らず、例えば円錐面などのように、軸線Ｌ方向に対して交差する方向に延びる面により段差面４２３が構成されていてもよい。
【００３９】
入射板４３は、上述の入射スリット４１が形成された入射部を構成している。入射板４３は、本体４２の一端面に取り付けられることにより、入口側開口４２１の一部を覆っている。すなわち、入射板４３は、入口側開口４２１の一部に対向する位置まで張り出しており、入射スリット４１を通過した光が、入口側開口４２１を介して本体４２内に入射される。
【００４０】
入射板４３は、本体４２に対して着脱可能となっている。このように、入射板４３が本体４２に対して着脱可能である場合には、例えば本体４２に設けられたピンなどの位置決め部材（図示せず）により、入射板４３を位置決めして取り付けることができるような構成であることが好ましい。ただし、入射板４３は、本体４２に対して着脱可能な構成に限らず、本体４２に対して固定されていてもよい。
【００４１】
マスク板４４は、開口部４５が形成されたマスク部を構成している。開口部４５は、入射スリット４１よりも大きい面積を有している。マスク板４４は、本体４２内に取り付けられることにより、光源２から回折格子６に向かう光の光路上において、入射板４３と回折格子６との間に設けられている。これにより、開口部４５を通過した光のみが、出口側開口４２２からハウジング９内に入射するようになっている。
【００４２】
ハウジング９には、開口部４５よりも大きい開口部９１が形成されており、当該開口部９１に開口部４５が対向するように、入射光制限部材４がハウジング９に取り付けられている。入射光制限部材４は、ハウジング９に対して固定されていてもよいし、着脱可能であってもよい。入射光制限部材４がハウジング９に対して着脱可能である場合には、例えば入射光制限部材４又はハウジング９に設けられたピンなどの位置決め部材により、入射光制限部材４を位置決めして取り付けることができるような構成であることが好ましい。
【００４３】
入射スリット４１から回折格子６側に向かう光は、開口部４５の形状及び位置に応じて制限される。本実施形態では、開口部４５の中心が、入射スリット４１からの光の光軸上（軸線Ｌ上）に位置しており、開口部４５に対する入射光束が開口部４５の面積と同一又は開口部４５よりも小さい断面積を有している場合には、入射スリット４１からの光の全てが開口部４５を通過する。一方、開口部４５に対する入射光束が開口部４５の面積よりも大きい断面積を有している場合には、入射スリット４１からの光の一部（光軸に近い部分）のみが開口部４５を通過する。
【００４４】
このように、入射スリット４１から回折格子６側に向かう光は、その少なくとも一部が開口部４５を通過し、開口部４５以外の部分では光が反射されることにより遮光される。より具体的には、図２にハッチングで示すように、回折格子６の有効領域６１内に入射する入射光束の角度範囲θ１を超える範囲の光が、マスク板４４で遮光されるようになっている。マスク板４４により遮光された光は、当該マスク板４４において反射することにより、本体４２内に残留することとなる。
【００４５】
図３は、図２の状態から回折格子６を回転させたときの入射光制限部材４の構成例を示した概略断面図である。図３に示すように、回折格子６が回転軸６２を中心に回転すると、軸線Ｌに沿って見た有効領域６１の面積が変化する。そのため、マスク板４４が図２の状態のままでは、開口部４５を通過した光の一部が有効領域６１に入射せず、迷光の原因となってしまう。
【００４６】
そこで、本実施形態では、回折格子６の回転に伴ってマスク板４４を回転させることにより、開口部４５を通過して回折格子６側に向かう光の通過量を変化させることができるようになっている。すなわち、回折格子６の回転に伴ってマスク板４４が回転することにより、軸線Ｌに沿って見た開口部４５の面積が変化し、図３にハッチングで示すように、開口部４５を通過する光束の角度範囲θ１が変化する。
【００４７】
より具体的には、マスク板４４は、軸線Ｌ上に位置する回転軸４０を中心に回転可能となっている。回折格子６の回転軸６２は、マスク板４４の回転軸４０と同様に軸線Ｌ上に位置しており、各回転軸４０，６２は軸線Ｌに対して直交方向に延びている。マスク板４４は、その回転角度が回折格子６の回転角度と一致するように同期して回転する。これにより、開口部４５を通過する光が常に回折格子６の有効領域６１内に入射し、有効領域６１内に入射する入射光束の角度範囲θ１を超える範囲の光が、常にマスク板４４で遮光されるようになっている。
【００４８】
図３に示すように、回折格子６は、回転機構１００により回転される。回転機構１００は、例えば回転軸６２に動力を伝達して回折格子６を回転させるためのモータ及びギア（いずれも図示せず）などの動力伝達機構を備えている。また、マスク板４４は、光量調整機構２００によって動作される。この例では、光量調整機構２００は、例えば回転軸４０に動力を伝達してマスク板４４を回転させるためのモータ及びギア（いずれも図示せず）などの動力伝達機構を備えている。ただし、回転機構１００及び光量調整機構２００が一体的に構成されることにより、回折格子６及びマスク板４４を同期して回転させることができるようになっていてもよい。
【００４９】
このように、本実施形態では、入射スリット４１から回折格子６に向かう光の一部を、マスク板４４における開口部４５以外の部分で反射させて遮光することができる。このとき、開口部４５を通過して回折格子６側に向かう光の通過量を光量調整機構２００で変化させることにより、図２及び図３においてハッチングで示すような回折格子６の有効領域６１内に入射しない光が、回折格子６側に向かうのを阻止することができる。この場合、回折格子６の有効領域６１内に入射する光のみがマスク板４４の開口部４５を通過し、迷光源となる回折格子６の有効領域６１内に入射しない光が遮光されるため、より効果的に迷光を低減することができる。
【００５０】
また、本実施形態では、マスク板４４を回転させるだけの簡単な構成で、開口部４５を通過して回折格子６側に向かう光の通過量を変化させ、回折格子６の有効領域６１内に入射しない光が回折格子６側に向かうのを阻止することができる。
【００５１】
特に、回折格子６の回転に伴って、開口部４５を通過して回折格子６側に向かう光の通過量が自動的に変化するため、回折格子６の回転角度に対して常に適切な通過量で回折格子６側に向かう光が開口部４５を通過する。すなわち、回折格子６の回転角度が変化すると、回折格子６の有効領域６１に対する入射光束の角度範囲θ１も変化するため、回折格子６の回転に伴って開口部４５に対する光の通過量を変化させることにより、常に回折格子６の有効領域６１内にのみ光を入射させることが可能になる。
【００５２】
本体４２内には、マスク板４４で反射させた光を減衰させるトラップ空間４２４が形成されている。トラップ空間４２４は、例えば出口側開口４２２と段差面４２３との間の空間であり、マスク板４４で反射した光は、当該トラップ空間４２４内（本体４２の内面や段差面４２３など）で反射を繰り返すことにより減衰される。本体４２は、トラップ空間４２４が形成されたトラップ部を構成している。
【００５３】
トラップ空間４２４の内面、すなわち本体４２の内面及びマスク板４４におけるトラップ空間４２４側の面などの反射面は、例えば黒色に塗装されることにより、光を減衰させることができるようになっている。ただし、光を減衰させるための構成としては、上記反射面が黒色に塗装された構成に限らず、他の色に塗装された構成であってもよいし、反射率の低い部材が反射面に貼り付けられた構成など、他の各種構成を採用することができる。
【００５４】
このように、本実施形態では、回折格子６の有効領域６１内に入射しない光をマスク板４４で反射させ、その反射した光をトラップ空間４２４で減衰させることができる。これにより、マスク板４４において遮光された光は回折格子６側には届かず、迷光源となることがないため、より効果的に迷光を低減することができる。
【００５５】
ただし、マスク板４４は、回折格子６の有効領域６１内に入射する入射光束の角度範囲θ１を超える範囲の光のみを遮光するような構成に限られるものではない。すなわち、マスク板４４は、上記角度範囲θ１よりも狭い範囲で入射スリット４１からの光を遮光するような構成であってもよい。
【００５６】
上記実施形態では、入射光制限部材４がハウジング９の壁面に対して外側から取り付けられた構成について説明したが、このような構成に限らず、ハウジング９の壁面に対して内側から入射光制限部材４が取り付けられた構成であってもよい。また、本体４２及び入射板４３が分離して設けられていてもよい。
【００５７】
図４は、入射光制限部材４の変形例を示した概略断面図である。この例では、光量調整機構２００が、マスク板４４を回転させるのではなく、移動させるようになっている。この点を除けば、他の構成については上記実施形態と同様であるため、同様の構成については、図に同一符号を付して詳細な説明を省略する。
【００５８】
この例では、マスク板４４が、図２に示す位置（図４に破線で示す位置）から、図４に実線で示す位置まで、軸線Ｌに沿って移動可能となっている。このように、光量調整機構２００は、マスク板４４の角度を保ったまま、軸線Ｌに沿ってマスク板４４を平行移動させることにより、開口部４５を通過して回折格子６側に向かう光の通過量を変化させることができるようになっている。
【００５９】
すなわち、回折格子６の回転に伴ってマスク板４４が移動することにより、図２及び図４にハッチングで示すように、開口部４５を通過する光束の角度範囲θ１が変化する。これにより、開口部４５を通過する光が常に回折格子６の有効領域６１内に入射し、有効領域６１内に入射する入射光束の角度範囲θ１を超える範囲の光が、常にマスク板４４で遮光されるようになっている。
【００６０】
このような構成であっても、マスク板４４を移動させるだけの簡単な構成で、開口部４５を通過して回折格子６側に向かう光の通過量を変化させ、回折格子６の有効領域６１内に入射しない光が回折格子６側に向かうのを阻止することができる。
【００６１】
ただし、光量調整機構２００は、マスク板４４を軸線Ｌに沿って移動させるような構成にかぎらず、他の方向に沿って移動させるような構成であってもよい。また、光量調整機構２００は、マスク板４４を回転又は移動させるような構成に限らず、例えば開口部４５の面積を変化させることができるような絞り機構を備えた構成など、他の各種構成を採用することができる。
【００６２】
また、光量調整機構２００は、回折格子６の回転に伴って、自動で光の通過量を変化させるような構成に限られるものではない。すなわち、光量調整機構２００が手動で操作されることにより、開口部４５を通過して回折格子６側に向かう光の通過量が変化するような構成などであってもよい。
【００６３】
図５は、別実施形態に係る分光器１の構成例を示した概略断面図である。本実施形態では、光源２から分光器１に光を導くための光学系が、集光レンズ３ではなく光ファイバ１０により構成されている。この点を除けば、他の構成については上記実施形態と同様であるため、同様の構成については図に同一符号を付して詳細な説明を省略する。
【００６４】
入射光制限部材４には、光ファイバ１０の先端部を取り付けるためのファイバ取付部４６が備えられている。ファイバ取付部４６は、本体４２の一端面に取り付けられることにより、入口側開口４２１の一部を覆っている。ファイバ取付部４６には、本体４２の軸線Ｌに沿って延びる凹部４６１が形成されており、当該凹部４６１内に光ファイバ１０の先端部が挿入されて固定されている。
【００６５】
光ファイバ１０は、その先端面が凹部４６１の底面に当接している。凹部４６１の底面には開口が形成されており、当該開口が入射スリット４１を構成している。これにより、光ファイバ１０の先端面からの光が、入射スリット４１を通過し、入口側開口４２１を介して本体４２内に入射されるようになっている。ただし、入射スリット４１は、ファイバ取付部４６に形成された構成に限らず、ファイバ取付部４６とは別に設けられた部材（入射板など）に形成されていてもよい。
【００６６】
このように、光源２から分光器１に光を導くための光学系は、集光レンズ３に限らず、光ファイバ１０などの他の各種部材を用いて構成することができる。なお、光ファイバ１０は、１本に限らず、複数本設けられていてもよい。
【００６７】
図６は、さらに別の実施形態に係る分光器１の構成例を示した概略断面図である。本実施形態では、図２に示すマスク板４４における開口部４５以外の部分に、低反射率部材４７が設けられている。この点を除けば、他の構成については図２の場合と同様であるため、同様の構成については図に同一符号を付して詳細な説明を省略する。
【００６８】
低反射率部材４７は、マスク板４４の入射スリット４１側の面における開口部４５以外の部分全体に設けられている。低反射率部材４７における入射スリット４１側の面は、低反射率で光を反射させる低反射率面４７１となっている。低反射率面４７１としては、例えば黒色などの反射率が低い色で塗装された構成、又は、起毛紙などの反射率が低い素材からなる部材が貼り付けられた構成など、各種構成を採用することができる。低反射率面４７１の反射率は、０．１〜２％であることが好ましく、０．１〜０．２％であればより好ましい。
【００６９】
本実施形態では、回折格子６の有効領域６１内に入射しない光が、入射板４３及び回折格子６の間に設けられたマスク板４４で反射する際、マスク板４４に設けられた低反射率部材４７により減衰しながら反射され、さらに、反射した光はトラップ空間４２４で減衰される。したがって、さらに効果的に迷光を低減することができる。
【００７０】
図６の例では、マスク板４４の入射スリット４１側の面における開口部４５以外の部分全体に、低反射率部材４７が設けられているが、このような構成に限られるものではない。すなわち、マスク板４４の入射スリット４１側の面における開口部４５以外の部分の一部分にのみ、低反射率部材４７が設けられた構成であってもよい。この場合、少なくとも開口部４５の周縁部に低反射率部材４７が設けられていることが好ましい。
【００７１】
図７は、図６の分光器における入射光制限部材４の変形例を示した概略断面図である。この例では、低反射率部材４７がトラップ空間４２４の内面に設けられている点のみが図６の例とは異なり、他の構成については図６の場合と同様であるため、同様の構成については図に同一符号を付して詳細な説明を省略する。
【００７２】
低反射率部材４７は、例えば本体４２内の段差面４２３に設けられている。これにより、マスク板４４で１回反射した後の光がトラップ空間４２４の内面で反射する位置に、低反射率部材４７が設けられる。低反射率部材４７は、図７に示すように、入口側開口４２１の周縁部まで本体４２の内面を覆っていることが好ましい。ただし、段差面４２３に限らず、トラップ空間４２４の内面における他の位置に低反射率部材４７が設けられていてもよい。
【００７３】
低反射率部材４７におけるトラップ空間４２４側（マスク板４４側）の面は、低反射率で光を反射させる低反射率面４７１となっている。低反射率面４７１の構成としては、図６の場合と同様の構成を採用することができる。
【００７４】
この例では、回折格子６の有効領域６１内に入射しない光を、入射板４３及び回折格子６の間に設けられたマスク板４４で反射させ、その反射した光をトラップ空間４２４の内面（段差面４２３）に設けられた低反射率部材４７により効果的に減衰させることができる。したがって、さらに効果的に迷光を低減することができる。
【００７５】
以上の実施形態では、入射スリット４１を有する入射部が、入射板４３のような板状の部材、又は、ファイバ取付部４６のような光ファイバ１０を取り付けるための部材である場合について説明した。しかし、このような構成に限らず、他の任意の部材により入射部を構成することができる。同様に、マスク部についても、マスク板４４のような板状の部材に限らず、他の任意の部材により構成することができる。
【００７６】
また、以上の実施形態では、トラップ空間４２４を有するトラップ部が、本体４２により構成される場合について説明した。しかし、このような構成に限らず、トラップ部が本体４２とは別に設けられた構成であってもよい。
【００７７】
さらに、以上の実施形態では、回折格子６の有効領域６１が、凹面からなる格子面により構成される場合について説明した。しかし、このような構成に限らず、回折格子６の有効領域６１は、平面などの他の形状からなる格子面により構成されていてもよい。また、回折格子６は、有効領域６１で光を反射させる際に分光する反射型回折格子に限らず、有効領域６１で光を透過させる際に分光する透過型回折格子であってもよい。
【符号の説明】
【００７８】
１      分光器
２      光源
３      集光レンズ
４      入射光制限部材
５      反射鏡
６      回折格子
７      反射鏡
８      出射光制限部材
９      ハウジング
１０    光ファイバ
４０    回転軸
４１    入射スリット
４２    本体
４３    入射板
４４    マスク板
４５    開口部
４６    ファイバ取付部
４７    低反射率部材
６１    有効領域
６２    回転軸
８１    出射スリット
９１    開口部
１００  回転機構
２００  光量調整機構
４２１  入口側開口
４２２  出口側開口
４２３  段差面
４２４  トラップ空間
４６１  凹部
４７１  低反射率面
【図１】
2018009885.tif 000003
【図２】
2018009885.tif 000004
【図３】
2018009885.tif 000005
【図４】
2018009885.tif 000006
【図５】
2018009885.tif 000007
【図６】
2018009885.tif 000008
【図７】
2018009885.tif 000009
【図８Ａ】
2018009885.tif 000010
【図８Ｂ】
2018009885.tif 000011